(57)【要約】      （修正有）【課題】フルネスティングで段積みされたパレットの分離を円滑に行うことを可能としたパレットを提供する。【解決手段】フルネスティングで段積みが可能なパレットであって、正方形状のデッキボード４と、デッキボードの各コーナ部において突出したコーナ脚部１１Ａ〜１４Ａ、１１Ｂ〜１４Ｂと、コーナ脚部の内側に構成され、フルネスティングのとき、上側に重ねられる上側パレットのコーナ脚部が嵌合されるコーナ嵌合凹部と、各コーナ部において、デッキボードの外周縁部２からコーナ脚部の延在する方向に延出された支持片３１とを備え、支持片３１がその延在方向に有する高さは、フルネスティングのとき、上側パレットの支持片３１が下側パレットの前記外周縁部２に当接する大きさである。【選択図】図１
2018144849.tif 000002
【特許請求の範囲】
【請求項１】
フルネスティングで段積みが可能なパレットであって、
載置面を有する正方形状を有したデッキボードと、
前記デッキボードの各コーナ部において、前記載置面とは反対の面である裏面から突出したコーナ脚部と、
前記載置面のなかで前記コーナ部が位置する部分にコーナ開口部を有し、前記コーナ開口部から前記コーナ脚部の内側に向けて窪むコーナ嵌合凹部であって、前記フルネスティングのとき、前記コーナ嵌合凹部を有した前記パレットの上側に重ねられる他の前記パレットである上側パレットの前記コーナ脚部が嵌合される前記コーナ嵌合凹部と、
前記各コーナ部において、前記デッキボードの外周縁部から前記コーナ脚部の延在する方向に延出された支持片とを備え、
前記支持片がその延在方向に有する高さは、前記フルネスティングのとき、前記上側パレットの前記支持片が前記パレットが重ねられる他の下側パレットの前記外周縁部に当接する大きさである
パレット。
【請求項２】
前記支持片は、前記コーナ部を構成する前記正方形状の２辺である第１辺および第２辺に沿って延びている
請求項１に記載のパレット。
【請求項３】
前記パレットは、
前記裏面から前記コーナ脚部と同方向に突出し、相互に隣り合う前記コーナ部の間において、互いに離間して配置される一対の中間脚部と、
前記一対の中間脚部に跨って配置される下面デッキボードと、
前記載置面のなかで相互に隣り合う前記コーナ部の間に位置する部分に中間開口部を有し、前記中間開口部から前記一対の中間脚部の内側に向けて窪む中間嵌合凹部であって、前記フルネスティングのとき、前記上側パレットの前記一対の中間脚部および前記下面デッキボードが嵌合される前記中間嵌合凹部と、
前記一対の中間脚部の間において、前記デッキボードと前記下面デッキボードとの間にフォークが挿入可能な差込口とを備え、
相互に隣り合う前記コーナ部の間に、２組の前記一対の中間脚部を備え、
前記差込口は、前記一対の中間脚部の各組において、１つずつを備え、
前記支持片は、前記第１辺の延在方向においては前記第２辺に近い前記差込口よりも前記コーナ部側に位置し、前記第２辺の延在方向においては前記第１辺に近い前記差込口よりも前記コーナ部側に位置する
請求項２に記載のパレット。
【請求項４】
前記パレットは、
前記コーナ脚部と前記一対の中間脚部とのうちで前記コーナ脚部と隣り合う中間脚部との間であって、かつ、前記第１辺および前記第２辺の各々と当該辺に対して対向する対向辺との間に延びる溝部を備え、
前記支持片は、前記第１辺の延在方向においては前記第２辺に近い前記溝部よりも前記コーナ部側に位置し、前記第２辺の延在方向においては前記第１辺に近い前記溝部よりも前記コーナ部側に位置する
請求項３に記載のパレット。
【請求項５】
前記コーナ嵌合凹部および前記中間嵌合凹部の各々が嵌合凹部であり、
前記コーナ脚部および前記中間脚部のうちで少なくとも１つの脚部は、前記１つの脚部の内側に位置する前記嵌合凹部に対して嵌脱される嵌脱方向に延びるリブを備えている
請求項３または４に記載のパレット。
【請求項６】
前記中間脚部において、前記デッキボードの外周縁部とは反対側に位置する側面と先端面とで構成されるコーナ部がＲ面またはＣ面で構成されている
請求項３ないし５のうち何れか１項に記載のパレット。
【発明の詳細な説明】
【技術分野】
【０００１】
本発明は、積載物を支持するパレットに関する。
【背景技術】
【０００２】
積載物を支持する支持のためのスキッドパレット（以下、単にパレットともいう。）は、デッキボードの上面だけを載置面とした単面型パレットであり、デッキボードの下面のコーナ部近傍に、脚部が配置され、また、側面に、フォークリフトやハンドリフタなどの運搬機械のフォークが挿入される差込口が配置されている。パレットは、積載物が下ろされた後、回収され、段積みされた状態でコンテナに収容され運搬される。パレットは、コンテナにより多くのパレットを積載するため、下側パレットの脚部の内側に構成された嵌合凹部に、重ねられる上側パレットの脚部が嵌合される構造となっており、段積み時における全高が低くなるように構成されている。
【０００３】
パレットの段積みには、フルネスティングとハーフネスティングとがある（特許文献１参照）。フルネスティングでは、上側パレットの脚部のほぼ全てが下側パレットの嵌合凹部に入り込み、上側パレットのデッキボードと下側パレットのデッキボードとが互いに平行に近接するようにパレットが段積みされる。ハーフネスティングでは、上側パレットの脚部が下側パレットの台座部に支持されて、上側パレットの脚部の半分程度が下側パレットの嵌合凹部に入り込んだ状態でパレットが段積みされる。フルネスティングでは、ハーフネスティングに比べて、段積み時の全高を低くすることができる。
【先行技術文献】
【特許文献】
【０００４】
【特許文献１】特開２００３−２１２２３６号公報
【発明の概要】
【発明が解決しようとする課題】
【０００５】
フルネスティングの場合、上側パレットの脚部のほぼ全てが下側パレットの嵌合凹部に入り込むため、下側パレットから上側パレットをばらす際に、上側パレットの脚部が下側パレットの嵌合凹部に引っかかり、上側パレットと下側パレットとを円滑に分離させることができないことがある。
【０００６】
本発明は、フルネスティングで段積みされたパレットの分離を円滑に行うことを可能としたパレットを提供することを目的とする。
【課題を解決するための手段】
【０００７】
上記課題を解決するパレットは、フルネスティングで段積みが可能なパレットであって、載置面を有する正方形状を有したデッキボードと、前記デッキボードの各コーナ部において、前記載置面とは反対の面である裏面から突出したコーナ脚部と、前記載置面のなかで前記コーナ部が位置する部分にコーナ開口部を有し、前記コーナ開口部から前記コーナ脚部の内側に向けて窪むコーナ嵌合凹部であって、前記フルネスティングのとき、前記コーナ嵌合凹部を有した前記パレットの上側に重ねられる他の前記パレットである上側パレットの前記コーナ脚部が嵌合される前記コーナ嵌合凹部と、前記各コーナ部において、前記デッキボードの外周縁部から前記コーナ脚部の延在する方向に延出された支持片とを備え、前記支持片がその延在方向に有する高さは、前記フルネスティングのとき、前記上側パレットの前記支持片が前記パレットが重ねられる他の下側パレットの前記外周縁部に当接する大きさである。
【０００８】
上記構成によれば、フルネスティングの状態において、下側パレットから上側パレットを分離させるため、作業者が作業開始時において上側パレットを下側パレットに対して傾けるように持ち上げることがある。この際、上側パレットの支持片は、上側パレットを下側パレットに対して傾けた際に支点として機能する。これにより、下側パレットに対して上側パレットを傾ける作業をする際の上側パレットの状態や姿勢が安定し、下側パレットの嵌合凹部に上側パレットの脚部が引っかかることを防ぐことができる。結果として、下側パレットに対して上側パレットを容易に分離することができる。
【０００９】
上記パレットにおいて、前記支持片は、前記コーナ部を構成する前記正方形状の２辺である第１辺および第２辺に沿って延びている構成としてもよい。
上記構成によれば、下側パレットに対して上側パレットが傾けられて支持片が支点となった際に、支持片が受ける荷重に対して支持片の機械的な耐性を高めることができる。
【００１０】
上記パレットにおいて、前記パレットは、前記裏面から前記コーナ脚部と同方向に突出し、相互に隣り合う前記コーナ部の間において、互いに離間して配置される一対の中間脚部と、前記一対の中間脚部に跨って配置される下面デッキボードと、前記載置面のなかで相互に隣り合う前記コーナ部の間に位置する部分に中間開口部を有し、前記中間開口部から前記一対の中間脚部の内側に向けて窪む中間嵌合凹部であって、前記フルネスティングのとき、前記上側パレットの前記一対の中間脚部および前記下面デッキボードが嵌合される前記中間嵌合凹部と、前記一対の中間脚部の間において、前記デッキボードと前記下面デッキボードとの間にフォークが挿入可能な差込口とを備え、相互に隣り合う前記コーナ部の間に、２組の前記一対の中間脚部を備え、前記差込口は、前記一対の中間脚部の各組において、１つずつを備え、前記支持片は、前記第１辺の延在方向においては前記第２辺に近い前記差込口よりも前記コーナ部側に位置し、前記第２辺の延在方向においては前記第１辺に近い前記差込口よりも前記コーナ部側に位置するようにしてもよい。
【００１１】
上記構成によれば、デッキボードの下縁と下面デッキボードとの間であって、かつ、対をなす中間脚部の間にフォークの経路となる差込口を構成することができる。そして、差込口に入るフォークの経路を確保しつつも、支点となる支持片が受ける荷重に対して支持片の機械的な耐性を高めることができる。
【００１２】
上記パレットにおいて、前記パレットは、前記コーナ脚部と前記一対の中間脚部とのうちで前記コーナ脚部と隣り合う中間脚部との間であって、かつ、前記第１辺および前記第２辺の各々と当該辺に対して対向する対向辺との間に延びる溝部を備え、前記支持片は、前記第１辺の延在方向においては前記第２辺に近い前記溝部よりも前記コーナ部側に位置し、前記第２辺の延在方向においては前記第１辺に近い前記溝部よりも前記コーナ部側に位置する構成としてもよい。
上記構成によれば、積載物を荷崩れがないように支持するバンドが通される溝部を狭めることなく、支持片が受ける荷重に対して支持片の機械的な耐性を高めることができる。
【００１３】
上記パレットにおいて、前記コーナ嵌合凹部および前記中間嵌合凹部の各々が嵌合凹部であり、前記コーナ脚部および前記中間脚部のうちで少なくとも１つの脚部は、前記１つの脚部の内側に位置する前記嵌合凹部に対して嵌脱される嵌脱方向に延びるリブを備えている構成としてもよい。
上記構成によれば、上側パレットのリブは、下側パレットの嵌合凹部を構成する内面に対向し接触する。上側パレットのリブは、下側パレットの嵌合凹部を構成する内側面との接触面積が狭くし、摩擦抵抗を小さくして、円滑に下側パレットに対して上側パレットを分離させることができる。
【００１４】
上記パレットにおいて、前記中間脚部において、前記デッキボードの外周縁とは反対側に位置する先端面と側面とで構成されるコーナ部がＲ面またはＣ面で構成されている構成としてもよい。
上記構成によれば、フルネスティングの状態において、下側パレットから上側パレットを分離させる際に、コーナ部と嵌合凹部の内側面との摩擦抵抗を小さくして、円滑に下側パレットに対して上側パレットを分離させることができる。
【発明の効果】
【００１５】
以上のような構成によれば、フルネスティングで段積みされたパレットの分離を円滑に行うことを可能としたパレットを提供することができる。
【図面の簡単な説明】
【００１６】
【図１】パレットを載置面側から見た斜視図。
【図２】パレットを裏面側から見た斜視図。
【図３】フルネスティングで段積みする際のコーナ脚部の位置関係を示す要部斜視図。
【図４】パレットの上面構造を示す平面図。
【図５】（ａ）はコーナ側中間脚部および第１中央側中間脚部のコーナ部がＲ面で構成された状態を示す要部斜視図、（ｂ）は上側パレットを下側パレットから分離させる状態を示す側面図。
【図６】溝部および支持片を示す要部斜視図。
【図７】パレットをフルネスティングで段積みした状態を示す側面図。
【図８】パレットを図４の状態から９０°回転したパレットの上面構造を示す平面図。
【図９】ハーフネスティングで段積みする際のコーナ脚部の位置関係を示す要部斜視図。
【図１０】パレットをハーフネスティングで段積みした状態を示す側面図。
【発明を実施するための形態】
【００１７】
以下、本発明におけるパレットを具体化した一実施の形態を図面を参照して説明する。
〔全体構成〕
図１に示すように、パレット１は、スキッドパレットであり、上面を載置面とした単面型パレットである。このパレット１は、ポリプロピレンやリサイクルポリプロピレン等の合成樹脂材料を原料とし、例えば一体射出成形により、全体が正方形の板状形状に成形されている。
【００１８】
パレット１は、上面を平坦な載置面４Ａとした正方形状のデッキボード４を有している。デッキボード４は、正方形の環状形状を有する外周縁部２の内側に、桟となる格子状のリブ３が設けられている。パレット１は、四方差しパレットであって、外周を構成する四側面に、フォークリフトやハンドリフタ等の運搬機械のフォークが差し込まれる差込口５が２つずつ設けられている。
【００１９】
〔脚部の説明〕
図２に示すように、デッキボード４の下面は、下面から突出してデッキボード４を支持する複数のコーナ脚部１１〜１４が一体成形されている。各コーナ脚部１１〜１４の各々は、正方形状を有するデッキボード４の各コーナ部において、デッキボード４の正方形の対角線上に２つずつ配置されている。例えば、コーナ脚部１１は、デッキボード４の下面において、外側に外側コーナ脚部１１Ａを備えている。そして、デッキボード４の対角線上であって外側コーナ脚部１１Ａの内側には、内側コーナ脚部１１Ｂを備えている。同様に、コーナ脚部１２〜１４も、それぞれが、外側に外側コーナ脚部１２Ａ〜１４Ａを備え、デッキボード４の対角線上であって外側コーナ脚部１２Ａ〜１４Ａの内側に、内側コーナ脚部１２Ｂ〜１４Ｂを備えている。
【００２０】
さらに、デッキボード４の下面には、積載荷重を分散する下面デッキボード２１が複数配置される。下面デッキボード２１もまた、ポリプロピレンやリサイクルポリプロピレン等の合成樹脂材料を原料とし、例えば一体射出成形により、細長い矩形板形状に成形されている。下面デッキボード２１は、デッキボード４の下面側において、外周部に沿って配置される。また、下面デッキボード２１は、デッキボード４の下面において、各辺の中間位置を通る十字状の中心線に沿って配置される。下面デッキボード２１の各々は、デッキボード４の下面に対して突出した中間脚部や中央部中間脚部の先端部に一体に設けられている。
【００２１】
具体的に、外周に配置される下面デッキボード２１の各々は、長手方向の一端が各コーナ脚部１１〜１４と隣接する位置において、デッキボード４の下面に対して突出したコーナ側中間脚部２２の先端部に配置されている。また、長手方向の他端部がデッキボード４の各辺の中央位置において、デッキボード４の下面に対して突出した第１中央側中間脚部２３の先端部に配置されている。これにより、下面デッキボード２１は、コーナ側中間脚部２２の先端部と第１中央側中間脚部２３とに跨るように配置されている。コーナ側中間脚部２２と第１中央側中間脚部２３とは、下面デッキボード２１を取り付け、さらに、差込口５を構成するための対となる中間脚部である。すなわち、相互に隣り合うコーナ部の間には、一対の中間脚部が２組配置され、各組の中間脚部の間に差込口５が構成されている。
【００２２】
また、内側に配置される下面デッキボード２１の各々は、長手方向の一端が４つの中央部中間脚部２４Ａ，２４Ｂ，２４Ｃ，２４Ｄ（以下、まとめて、中央部中間脚部２４ともいう。）の先端部に配置されている。また、長手方向の他端部が第２中央側中間脚部２５の先端部に配置されている。これにより、下面デッキボード２１は、中央部中間脚部２４の先端部と第２中央側中間脚部２５の先端部とに跨るように配置されている。内側に配置される下面デッキボード２１は、デッキボード４の十字状の中心線に沿う位置であって、中心線が交差する中心点に対して点対称となる位置に配置されている。第２中央側中間脚部２５と中央部中間脚部２４Ａ〜２４Ｄとは、内側に配置される下面デッキボード２１が取り付けられ、さらに、差込口５を構成するための対となる脚部である。
【００２３】
図１に示すように、デッキボード４の載置面４Ａにおいて、下面デッキボード２１が配置された各々の位置には、下面デッキボード２１とほぼ同じ大きさおよび形状を有した細長い矩形形状の中間開口部２６が配置されている。具体的には、中間開口部２６は、デッキボード４の外周部において、下面デッキボード２１の両側に位置するコーナ側中間脚部２２と第１中央側中間脚部２３との間に設けられている。また、中間開口部２６は、十字形状に配置されたデッキボード４を支持する中央部中間脚部２４と第２中央側中間脚部２５との間に設けられている。中間開口部２６は、これに連続した窪みで構成された中間嵌合凹部２７を備えている。中間嵌合凹部２７には、上側パレットのコーナ側中間脚部２２、第１中央側中間脚部２３、および、これらに跨る下面デッキボード２１が嵌合する。また、中間嵌合凹部２７には、中央部中間脚部２４、第２中央側中間脚部２５、および、これらに跨る下面デッキボード２１とが嵌合する。
【００２４】
次に、コーナ脚部１１〜１４の具体的構造について説明する。なお、図３では、外側コーナ脚部１４Ａを例に示している。
【００２５】
図３に示すように、外周縁部２の各コーナ部に設けられた外側コーナ脚部１１Ａ〜１４Ａは、載置面４Ａ側に正方形状を有する外側コーナ開口部１１Ｃ〜１４Ｃを備えている。そして、外側コーナ開口部１１Ｃ〜１４Ｃに連続して、外側コーナ脚部１１Ａ〜１４Ａの内側には、パレット１が段積みされた際に、上側パレット１Ｕの外側コーナ脚部１１Ａ〜１４Ａが嵌合される外側コーナ嵌合凹部１１Ｄ〜１４Ｄが設けられている。外側コーナ脚部１１Ａ〜１４Ａの内側に構成された外側コーナ嵌合凹部１１Ｄ〜１４Ｄは、底面に向かって狭くなる窪み形状を有し、段積みされる上側パレット１Ｕの外側コーナ脚部１１Ａ〜１４Ａが進入し易くなっている。外側コーナ開口部１１Ｃ〜１４Ｃは、外周縁部２の外側面から若干内側に開口端が位置している。フルネスティングで段積みするとき、下側パレット１Ｌの外側コーナ脚部１１Ａ〜１４Ａは、上側パレット１Ｕの外側コーナ脚部１１Ａ〜１４Ａが嵌合する構造となっている。
【００２６】
外側コーナ嵌合凹部１１Ｄ〜１４Ｄには、外側台座部１１Ｅ〜１４Ｅが内側に突出して設けられている。外側台座部１１Ｅ〜１４Ｅは、載置面４Ａより一段低い高さ、好ましくはパレット１の高さの半分より上側に配置されている。各外側台座部１１Ｅ〜１４Ｅは、矩形形状を有しており、外側コーナ嵌合凹部１１Ｄ〜１４Ｄの内側面から内側に突出し、その反対側の外面が外側窪み部１１Ｆ〜１４Ｆとなっている。したがって、上側パレット１Ｕの外側コーナ脚部１１Ａ〜１４Ａが下側パレット１Ｌの外側コーナ嵌合凹部１１Ｄ〜１４Ｄに嵌合される際に、上側パレット１Ｕの外側窪み部１１Ｆ〜１４Ｆは、下側パレット１Ｌの外側台座部１１Ｅ〜１４Ｅと嵌合する。外側台座部１１Ｅ〜１４Ｅは、外側コーナ嵌合凹部１１Ｄ〜１４Ｄに対して外側に突出して設けられるのではなく、内側に膨らむように設けられることで、外側コーナ脚部１１Ａ〜１４Ａの外形形状が複雑化することを抑制している。
【００２７】
内側コーナ脚部１１Ｂ〜１４Ｂも、外側コーナ脚部１１Ａ〜１４Ａとほぼ同様な構成を備え、内側コーナ開口部１１Ｉ〜１４Ｉと、内側コーナ嵌合凹部１１Ｈ〜１４Ｈと、内側台座部１１Ｇ〜１４Ｇとを備えている。そして、内側台座部１１Ｇ〜１４Ｇと外側台座部１１Ｅ〜１４Ｅとは、互いに平行に配置されている。図４に示すように、また、内側台座部１１Ｇ〜１４Ｇと外側台座部１１Ｅ〜１４Ｅとは、一つのコーナ部の台座部と隣のコーナ部の台座部とで向きが９０°異なる配置となっている。
【００２８】
ただし、内側台座部１１Ｇ〜１４Ｇと外側台座部１１Ｅ〜１４Ｅとでは、台座部の向きの規則性が異なっている。外側台座部１１Ｅ〜１４Ｅは、パレット１を左右何れの向きに回転させても（９０°、１８０°、２７０°）、外側コーナ開口部１１Ｃ〜１４Ｃにおける位置は同じである。すなわち、上側パレット１Ｕにおける外側台座部１１Ｅ〜１４Ｅの位置と下側パレット１Ｌにおける外側台座部１１Ｅ〜１４Ｅの位置とは、パレット１を左右何れの向きに回転させても一致する（重なる）。
【００２９】
これに対して、内側台座部１１Ｇ〜１４Ｇは、基準となる下側パレット１Ｌに対して上側パレット１Ｕを（９０°、２７０°）回転させたとき、下側パレット１Ｌの内側台座部１１Ｇ〜１４Ｇ上には、上側パレット１Ｕにおける内側コーナ脚部１１Ｂ〜１４Ｂの先端面が位置する。パレット１がハーフネスティングで段積みされる際に、下側パレット１Ｌにおける内側台座部１１Ｇ〜１４Ｇは、上側パレット１Ｕの内側コーナ脚部１１Ｂ〜１４Ｂの先端面が載置される載置部となる。
【００３０】
また、中央部中間脚部２４Ａ〜２４Ｄも外側コーナ脚部１１Ａ〜１４Ａや内側コーナ脚部１１Ｂ〜１４Ｂと同様な構成を備えており、中央台座部２６Ａ〜２６Ｄを備えている。中央台座部２６Ａ〜２６Ｄは、パレット１を何れの向きに回転させても（９０°、１８０°、２７０°）、位置は同じである。
【００３１】
図５（ａ）に示すように、コーナ側中間脚部２２および第１中央側中間脚部２３において、デッキボード４の外周縁部２とは反対側に位置する先端面と外側面とで構成されるコーナ部２８は、Ｒ面で構成されている。図５（ｂ）に示すように、フルネスティングの状態において、作業者が下側パレット１Ｌから上側パレット１Ｕを傾けて分離させる際に、支点に近い側の上側パレット１Ｕのコーナ部２８Ａは、下側パレット１Ｌにおけるコーナ側中間脚部２２および第１中央側中間脚部２３の内側面に当たる部分である。上側パレット１Ｕは、この当たる部分となるコーナ部２８をＲ面で構成することによって、下側パレット１Ｌにおけるコーナ側中間脚部２２および第１中央側中間脚部２３の内側面に対する摩擦抵抗を小さくしている。
【００３２】
また、外側コーナ脚部１２Ａ〜１４Ａ、内側コーナ脚部１２Ｂ〜１４Ｂ、中間脚部２２，２３，２５、および、中央部中間脚部２４の外表面には、嵌脱方向である上下方向に沿って、直線状のリブ２９が設けられている。上側パレット１Ｕにおける、外側コーナ脚部１２Ａ〜１４Ａおよび内側コーナ脚部１２Ｂ〜１４Ｂは、下側パレットにおける、外側コーナ脚部１２Ａ〜１４Ａおよび内側コーナ脚部１２Ｂ〜１４Ｂに差し込まれる。また、上側パレット１Ｕにおける、中間脚部２２，２３，２５、および、中央部中間脚部２４は、下側パレットにおける、中間脚部２２，２３，２５、および、中央部中間脚部２４の内側に構成された嵌合凹部に差し込まれる。この際に、上側パレット１Ｕのリブ２９は、下側パレット１Ｌの嵌合凹部を構成する内側面に対向し接触する。上側パレット１Ｕのリブ２９は、下側パレット１Ｌの嵌合凹部を構成する内面との接触面積を減らし、摩擦抵抗を小さくしている。
【００３３】
〔溝部の説明〕
図５（ａ）に示すように、外側コーナ脚部１１Ａ〜１４Ａとコーナ側中間脚部２２との間は、デッキボード４の相対する辺の間に跨る溝部１９を備える。溝部１９は、デッキボード４の載置面４Ａに積載された積載物を荷崩れがないように支持するバンドが通される。バンドとしては、一例としてＰＰ（ポリプロピレン）バンドである。
【００３４】
〔支持片の説明〕
図６に示すように、デッキボード４の外周縁部２における各コーナ部には、支持片３１が設けられている。デッキボード４の各コーナ部は、円弧部３２Ａとなっており、円弧部３２Ａの両側に第１辺３２Ｂと第２辺３２Ｃを備えている。支持片３１は、円弧部３２Ａと連続するように下方に向かって延出した円弧片部３１Ａと、円弧片部３１Ａに対して両方向に延びた延長片部３１Ｂ，３１Ｃとを備えている。円弧片部３１Ａの外側の面は、コーナ部の円弧部３２Ａと同じ曲率の円弧面を備えている。延長片部３１Ｂ，３１Ｃは、第１辺３２Ｂおよび第２辺３２Ｃに沿って延びている。
【００３５】
円弧片部３１Ａおよび延長片部３１Ｂ，３１Ｃが延在方向に有する高さＨは、パレット１がフルネスティングで段積みされたときに、下側パレット１Ｌの載置面４Ａにおける円弧部３２Ａ近傍に当接する高さである。
【００３６】
延長片部３１Ｂの円弧片部３１Ａから第１辺３２Ｂの延在方向における長さＬ（延長片部３１Ｃにおける円弧片部３１Ａ側の端から反対端までの長さ）は、延長片部３１Ｃの円弧片部３１Ａから第２辺３２Ｃの延在方向における長さＬ（延長片部３１Ｃにおける円弧片部３１Ａ側の端から反対端までの長さ）と同じである。
【００３７】
また、延長片部３１Ｃの第２辺３２Ｃの延在方向における長さは、第１辺３２Ｂに近い差込口５Ａよりもコーナ部側に位置する長さであることが好ましい。同様に、延長片部３１Ｂの第１辺３２Ｂの延在方向における長さは、第２辺３２Ｃに近い差込口５Ｂよりもコーナ部側に位置する長さであることが好ましい。これにより、差込口５を狭めないようにし、フォークの経路を確保することができる。換言すると、延長片部３１Ｂ，３１Ｃの長さは、最大で、円弧片部３１Ａ側の端からコーナ側中間脚部２２（差込口５の縁）までの長さＬ１である。
【００３８】
より好ましくは、延長片部３１Ｃの第２辺３２Ｃの延在方向における長さは、第１辺３２Ｂに近い溝部１９Ａよりもコーナ部側に位置する長さであることが好ましい。同様に、延長片部３１Ｂの第１辺３２Ｂの延在方向における長さは、第２辺３２Ｃに近い溝部１９Ｂよりもコーナ部側に位置する長さであることが好ましい。これにより、差込口５を狭めることなく、さらに積載物を荷崩れがないように支持するバンドが通される溝部１９を狭めないようにすることができる。換言すると、延長片部３１Ｂ，３１Ｃの長さは、最大で、円弧片部３１Ａ側の端から溝部１９の最深部における円弧片部３１Ａに近い角までの長さＬ２ある。
【００３９】
更に好ましくは、図３の例のように、延長片部３１Ｂ，３１Ｃの長さは、最大で円弧片部３１Ａ側の端から外側コーナ脚部１１Ａ〜１４Ａの先端面における溝部１９側の角までの長さＬ３である。更に好ましくは、外側コーナ脚部１１Ａ〜１４Ａの先端面における溝部１９側の角の手前までである。
【００４０】
以上のように構成された支持片３１は、フルネスティングの状態において、下側パレット１Ｌから上側パレット１Ｕを分離させるため、作業者が上側パレット１Ｕを持ち上げ、下側パレット１Ｌに対して上側パレット１Ｕを傾けた際の支点となる部分である。支持片３１は、円弧片部３１Ａと延長片部３１Ｂ，３１Ｃとから構成されることで、下側パレット１Ｌに対して上側パレット１Ｕを傾けた際の支点となった際にも、支点となる支持片３１が受ける荷重に対して支持片３１の機械的な耐性を高めることができる。
【００４１】
〔パレットの作用〕
以上のように構成されたパレット１は、四方差しパレットであり、パレット１の各側面に設けられた差込口５から運搬機械のフォークを差し込むことができる。図２に示すように、このパレット１では、接地面側に、下面デッキボード２１が配置されている。したがって、下側パレット１Ｌに積載されている積載物の上に、更に上側パレット１Ｕを積み上げる場合であっても、下側パレット１Ｌの積載物上に対して荷重が分散され、下側パレット１Ｌの積載物が傷付いたり潰れたり破損したりすることを抑制することができる。また、上側パレット１Ｕは、下側パレット１Ｌの積載物上での姿勢を安定させることができる。
【００４２】
〔フルネスティングの説明〕
図３に示すように、フルネスティングで段積みする場合、段積みされるパレット１は、向きが揃えられた状態で積み上げられる。この場合、上側パレット１Ｕの外側コーナ脚部１１Ａ〜１４Ａは、下側パレット１Ｌの外側コーナ嵌合凹部１１Ｄ〜１４Ｄにほぼ全体が入り込んだ状態で嵌合される。また、上側パレット１Ｕの内側コーナ脚部１１Ｂ〜１４Ｂも、下側パレット１Ｌの内側コーナ嵌合凹部１１Ｈ〜１４Ｈにほぼ全体が入り込んだ状態で嵌合される。さらに、デッキボード４の外周に沿って配置される上側パレット１Ｕのコーナ側中間脚部２２、第１中央側中間脚部２３、および、これらに跨る下面デッキボード２１は、中間嵌合凹部２７にほぼ全体が入り込んだ状態で嵌合される。また、ほぼ十字形状に配置される中央部中間脚部２４、第２中央側中間脚部２５、および、これらに跨る下面デッキボード２１も、中間嵌合凹部２７にほぼ全体が入り込んだ状態で嵌合される。
【００４３】
図７に示すように、これにより、上下に隣接する上側パレット１Ｕと下側パレット１Ｌの外周縁部２が近接するような状態で段積みされる。この場合、下側パレット１Ｌの差込口５には、上側パレット１Ｕの下面デッキボード２１が位置し、上側パレット１Ｕの下面デッキボード２１と下側パレット１Ｌの差込口５の上縁との間に、フォーク３７が挿入可能な間隔３６が形成される。間隔３６には、フォークリフトのフォーク３７を差し込み、重なったパレット１を切り離しパレット１を運搬することができる。
【００４４】
また、上側パレット１Ｕは、軽量であり、作業者は、下側パレット１Ｌに対して、支持片３１を支点Ｐとして、支点Ｐと反対側の端部を離すように持ち上げることができる（図７中最上段のパレット１Ｕ参照）。
【００４５】
〔ハーフネスティングの説明〕
図８に示すように、フルネスティングで段積みされたパレット１をハーフネスティングで段積みするように切り替えるには、上側パレット１Ｕが一度、作業者や運搬機械で持ち上げられ、９０°回転される。図８のパレット１の向きは、図４に示すパレット１の向きを基準としたとき、右側に９０°回転した状態である。図９に示すように、この状態において、下側パレット１Ｌの内側台座部１１Ｇ〜１４Ｇ上には、上側パレット１Ｕの内側コーナ脚部１１Ｂ〜１４Ｂの先端面が位置される（図８中○で囲んだ部分）。図９では、下側パレット１Ｌの内側台座部１４Ｇ上に、上側パレット１Ｕの内側コーナ脚部１３Ｂの先端面が位置される。これにより、ハーフネスティングで段積みされる場合、下側パレット１Ｌにおける内側台座部１１Ｇ〜１４Ｇには、上側パレット１Ｕの内側コーナ脚部１１Ｂ〜１４Ｂの先端面が載置される。すなわち、各脚部は各嵌合凹部に全体が入り込むようには嵌合しない。図１０に示すように、この場合、下側パレット１Ｌの差込口５の中には、上側パレット１Ｕの下面デッキボード２１が位置せず、差込口５はほぼ全体が露出する。したがって、下側パレット１Ｌの差込口５には、ハンドリフタのフォークを容易に挿入することができる。
【００４６】
勿論、パレット１は、以上のように、フルネスティングとハーフネスティングとを組み合わせて段積みしてもよいし、フルネスティングだけやハーフネスティングだけで段積みしてもよい。
【００４７】
上記実施の形態によれば、以下のように列挙する効果を得ることができる。
（１）支持片３１は、フルネスティングの状態において、下側パレット１Ｌから上側パレット１Ｕを分離させるため、作業者が作業開始時において上側パレット１Ｕを下側パレット１Ｌに対して傾けるように持ち上げることになる。この際、上側パレット１Ｕの支持片３１は、上側パレット１Ｕを下側パレット１Ｌに対して傾けた際に支点Ｐとすることができる。これにより、下側パレット１Ｌに対して上側パレット１Ｕを傾ける作業をする際の上側パレット１Ｕの状態や姿勢が安定し、下側パレット１Ｌの嵌合凹部に上側パレット１Ｕの脚部が引っかかることを防ぐことができる。結果として、下側パレット１Ｌに対して上側パレット１Ｕを容易に分離することができる。
【００４８】
（２）支持片３１は、円弧片部３１Ａと延長片部３１Ｂ，３１Ｃとから構成されることで、下側パレット１Ｌに対して上側パレット１Ｕを傾けた際の支点Ｐとなった際にも、支持片３１が受ける荷重に対して支持片３１の機械的な耐性を高めることができる。
【００４９】
（３）デッキボード４の下縁と下面デッキボード２１との間であって、かつ、対となる中間脚部２２，２３の間に差込口５を構成することができる。
（４）支持片３１は、延長片部３１Ｂ，３１Ｃを最大で、円弧片部３１Ａから第１中央側中間脚部２３の位置までとする。これにより、差込口５を狭めることなく、支点Ｐとなる支持片３１が受ける荷重に対して支持片３１の機械的な耐性を高めることができる。
【００５０】
（５）支持片３１は、延長片部３１Ｂ，３１Ｃを最大で、円弧片部３１Ａから溝部１９の位置までとする。これにより、溝部１９を狭めることなく、支点Ｐとなる支持片３１が受ける荷重に対して支持片３１の機械的な耐性を高めることができる。
【００５１】
（６）上側パレット１Ｕのリブ２９は、下側パレット１Ｌの嵌合凹部を構成する内面に対向し接触する。上側パレット１Ｕのリブ２９は、下側パレット１Ｌの嵌合凹部を構成する内側面との接触面積が狭くし、摩擦抵抗を小さくして、円滑に下側パレット１Ｌに対して上側パレット１Ｕを分離させることができる。
【００５２】
（７）コーナ側中間脚部２２および第１中央側中間脚部２３は、コーナ部２８をＲ面で構成している。したがって、フルネスティングの状態において、下側パレット１Ｌから上側パレット１Ｕを分離させる際に、コーナ部２８とコーナ側中間脚部２２および第１中央側中間脚部２３の内側面との摩擦抵抗を小さくして、円滑に下側パレット１Ｌに対して上側パレット１Ｕを分離させることができる。
【００５３】
（８）パレット１は、９０°回転させるだけで、ハーフネスティングとフルネスティングとを切り替えることができる。これにより、フルネスティングとハーフネスティングを切り替えの作業量を低減することができる。
（９）フルネスティングの場合にも、フォーク３７を間隔３６に差し込み、重なったパレット１をフォークリフトなどの運搬機械で運ぶことができる。
【００５４】
なお、上記実施形態は、以下のように適宜変更して実施することもできる。
・間隔３６は、フォーク３７を差し込み可能な間隔でなくてもよい。この場合、最下段のパレット１の上には、ハーフネスティングでパレット１を重ねることによって、最下段のパレット１の差込口５にフォーク３７を差し込むことができる。
【００５５】
・パレット１は、フルネスティングによってのみ段積みできる構成であってもよい。この場合、外側コーナ脚部１１Ａ〜１４Ａと内側コーナ脚部１１Ｂ〜１４Ｂの構成を同一とすればよい。
・また、ハーフネスティングのための台座部は、内側コーナ脚部１１Ｂ〜１４Ｂに加えて、または、内側コーナ脚部１１Ｂ〜１４Ｂに代えて、外側コーナ脚部１１Ａ〜１４Ａや、中間脚部２２，２３，２５や中央部中間脚部２４に設けるようにしてもよい。この場合、内側コーナ脚部１１Ｂ〜１４Ｂの内側台座部１１Ｇ〜１４Ｇの配置を、外側コーナ脚部１１Ａ〜１４Ａや中間脚部２２，２３，２５や中央部中間脚部２４にも適用する。
【００５６】
・コーナ部２８は、Ｃ面で構成しても、Ｒ面とほぼ同様の効果を得ることができる。
・嵌合凹部に対して脚部の大きさは小さく、嵌合凹部に対して脚部の引っかかりがない場合、コーナ部２８のＲ面やＣ面を省略してもよい。
【００５７】
・嵌合凹部に対して脚部の大きさは小さく、嵌合凹部に対して脚部の引っかかりがない場合、リブ２９は省略してもよい。
・また、一部の脚部にリブ２９を設けるようにしてもよい。例えば、外側コーナ脚部１１Ａ〜１４Ａだけに設けてもよいし、内側コーナ脚部１１Ｂ〜１４Ｂだけに設けてもよい。また、コーナ側中間脚部２２だけに設けてもよいし、第１中央側中間脚部２３や第２中央側中間脚部２５だけに設けてもよいし、中央部中間脚部２４だけに設けてもよい。さらに、これらの脚部の中で、複数の脚部に設けるようにしてもよい。
【００５８】
・各脚部の各面に設けられるリブ２９の本数は特に限定されるものではない。
・パレット１において、他の荷崩れ防止を使用する場合、溝部１９の構成を省略してもよい。
【００５９】
・支持片３１において、延長片部３１Ｂ，３１Ｃの長さは、支点Ｐとしての強度を確保できる最低限の長さとすればよい。これにより、支持片３１のための材料費を削減することができる。一例として、支持片３１は、延長片部３１Ｂ，３１Ｃを省略し、円弧片部３１Ａだけの構成とすることもできる。
【００６０】
・差込口が相対する２方向に配置された二方差しパレットであってもよい。
・外側コーナ脚部１１Ａ〜１４Ａや内側コーナ脚部１１Ｂ〜１４Ｂの形状は、円筒状等であってもよく、その形状は筒状であれば特に限定されるものではない。また、中間脚部２２，２３，２５や中央部中間脚部２４の形状も、円筒状等であってもよく、その形状は筒状であれば特に限定されるものではない。
【符号の説明】
【００６１】
１…パレット、１Ｌ…下側パレット、１Ｕ…上側パレット、２…外周縁部、３…リブ、４…デッキボード、４Ａ…載置面、５…差込口、１１−１４…コーナ脚部、１１Ａ−１４Ａ…外側コーナ脚部、１１Ｂ−１４Ｂ…内側コーナ脚部、１１Ｃ−１４Ｃ…外側コーナ開口部、１１Ｄ−１４Ｄ…外側コーナ嵌合凹部、１１Ｅ−１４Ｅ…外側台座部、１１Ｆ−１４Ｆ…外側窪み部、１１Ｇ−１４Ｇ…内側台座部、１１Ｈ−１４Ｈ…内側コーナ嵌合凹部、１１Ｉ−１４Ｉ…内側コーナ開口部、１９…溝部、２１…下面デッキボード、２２…コーナ側中間脚部、２３…第１中央側中間脚部、２４（２４Ａ−２４Ｄ）…中央部中間脚部、２５…第２中央側中間脚部、２６…中間開口部、２６Ａ−２６Ｄ…中央台座部、２７…中間嵌合凹部、２８…コーナ部、２９…リブ、３１…支持片、３１Ａ…円弧片部、３１Ｂ…延長片部、３１Ｃ…延長片部、３２Ａ…円弧部、３２Ｂ…第１辺、３２Ｃ…第２辺、３６…間隔、３７…フォーク。
【図１】
2018144849.tif 000003
【図２】
2018144849.tif 000004
【図３】
2018144849.tif 000005
【図４】
2018144849.tif 000006
【図５】
2018144849.tif 000007
【図６】
2018144849.tif 000008
【図７】
2018144849.tif 000009
【図８】
2018144849.tif 000010
【図９】
2018144849.tif 000011
【図１０】
2018144849.tif 000012